(57)【特許請求の範囲】
【請求項１】
固定された拡散反射型ホログラム原版上に感材フィルムを密着させながら滑動させ、前記感材フィルム側からフィルム幅方向に広がった断面線状の光束を照射して、前記の入射光束と前記拡散反射型ホログラム原版により反射回折された光束との干渉により前記感材フィルム中に拡散反射型ホログラムを連続的に記録することを特徴とする拡散反射型ホログラムの複製方法。
【請求項２】
前記拡散反射型ホログラム原版は、少なくとも両エッジが丸みを帯びて形成された透明棒状体表面に固定されていることを特徴とする請求項１記載の拡散反射型ホログラムの複製方法。
【請求項３】
前記透明棒状体は半円筒体であることを特徴とする請求項２記載の拡散反射型ホログラムの複製方法。
【請求項４】
前記拡散反射型ホログラム原版と前記感材フィルムの間にインデックスマッチング液と潤滑液とを兼ねた液体を介在させることを特徴とする請求項１から３の何れか１項記載の拡散反射型ホログラムの複製方法。
【請求項５】
前記の断面線状の光束がその線状の方向にのみ発散する光束であることを特徴とする請求項１から４の何れか１項記載の拡散反射型ホログラムの複製方法。
【請求項６】
連続的に記録される拡散反射型ホログラムが、継ぎ目あるいは継ぎ目の記録がないフィルム形状のものであることを特徴とする請求項１から５の何れか１項記載の拡散反射型ホログラムの複製方法。
【発明の詳細な説明】
【０００１】
【発明の属する技術分野】
本発明は、拡散反射型ホログラムの複製方法に関し、特に、継ぎ目跡のない大きなサイズの拡散反射型ホログラムの作製方法に関する。
【０００２】
【従来の技術】
拡散機能を持った反射型ホログラムは、液晶表示装置用バックライトやプロジェクター用スクリーン、コンバイナー等に利用できる。これらにおいて、拡散反射型ホログラムは、拡散方向が限定できることにより、従来の拡散板よりも高輝度な反射光が得られる。
【０００３】
【発明が解決しようとする課題】
しかしながら、大型液晶ディスプレイやプロジェクター用スクリーンとして利用するには、大型のホログラムが必要であるが、大面積の拡散反射型ホログラムを作製するには、継ぎ合わせるか、原版の継ぎ目が記録されたものしかなかった。
【０００４】
すなわち、従来、拡散反射型ホログラムを作製するには、図５（ａ）に示すように、拡散反射型ホログラムの平面原版を光吸収層で裏打ちして、その表面に感材フィルムを重ね合わせ、その上に保護ガラスを積層して、保護ガラス側からレーザー光を全体に入射させ、その入射光とホログラムの原版からの反射回折光とを感材フィルム中で干渉させて複製して作製するか、図５（ｂ）に示すように、拡散反射型ホログラムのフィルム原版を光吸収層で裏打ちして、シリンダーの周囲に巻き付け、そのホログラム原版にインデックマッチング液を介して密着するようにシリンダー外周に感材フィルムを巻き付けてシリンダーを矢印方向に回転させて感材フィルムを矢印方向に送りながら、感材フィルムがホログラム原版に密着した位置で感材フィルムを横断するようにレーザー光をホログラム原版の一部に入射させ、その入射光とホログラムの原版からの反射回折光とを感材フィルム中で順次干渉させて複製して作製している。
【０００５】
しかしながら、図５（ａ）の場合は、作製される拡散反射型ホログラムの寸法は原版の大きさに制限され、大面積の拡散反射型ホログラムを作製するには、複数枚のものを継ぎ合わせるしかない。また、図５（ｂ）の場合は、シリンダーに巻き付けられた原版には継ぎ目があるため、連続した大面積の拡散反射型ホログラムを作製することはできるが、原版の継ぎ目が記録されてしまう。
【０００６】
本発明は従来の技術の上記のような問題点に鑑みてなされたものであり、その目的は、液晶表示装置用バックライト、プロジェクタースクリーン、コンバイナー等の大型化と高品質化に対応した継ぎ目あるいは継ぎ目の記録のない大型の拡散反射型ホログラムの複製による作製方法を提供することである。
【０００７】
【課題を解決するための手段】
上記目的を達成する本発明の拡散反射型ホログラムの複製方法は、固定された拡散反射型ホログラム原版上に感材フィルムを密着させながら滑動させ、前記感材フィルム側からフィルム幅方向に広がった断面線状の光束を照射して、前記の入射光束と前記拡散反射型ホログラム原版により反射回折された光束との干渉により前記感材フィルム中に拡散反射型ホログラムを連続的に記録することを特徴とする方法である。
【０００８】
この場合、拡散反射型ホログラム原版は、少なくとも両エッジが丸みを帯びて形成された透明棒状体表面に固定することが望ましい。そのような透明棒状体としては半円筒体が例示できる。
【０００９】
また、拡散反射型ホログラム原版と前記感材フィルムの間にインデックスマッチング液と潤滑液とを兼ねた液体を介在させることが望ましい。
また、断面線状の光束としてはその線状の方向にのみ発散する光束が例示できる。
【００１０】
本発明においては、固定された拡散反射型ホログラム原版上に感材フィルムを密着させながら滑動させ、前記感材フィルム側からフィルム幅方向に広がった断面線状の光束を照射して、前記の入射光束と前記拡散反射型ホログラム原版により反射回折された光束との干渉により前記感材フィルム中に拡散反射型ホログラムを連続的に記録するので、大きな原版を用いなくとも、連続的で大型のフィルム形状の継ぎ目あるいは継ぎ目の記録がなく、反射効率が高く、高品質で、液晶表示装置用バックライト、プロジェクタースクリーン、コンバイナー等に適した拡散反射型ホログラムを簡単に作製することができる。
【００１１】
【発明の実施の形態】
以下、本発明の拡散反射型ホログラムの複製方法を実施例に基づいて説明する。
図１は本発明に基づく複製方法を実施するための配置を示し、図２はその際に用いる原版支持体の組み立て方法を示す。本発明において、複製される拡散反射型ホログラムの原版１は半円筒型（カマボコ型）の透明体２の円筒表面の母線方向にストライプ状に張り付けられている。そして、その原版１の上に滴下装置４から滴下されたインデックスマッチング液５を潤滑剤として間に介在させて感材フィルム３を密着させ、ストライプ状の原版１を横切る方向である透明体２の円周方向に感材フィルム３を滑らせながら、図１の矢印方向へ送る。その搬送過程で、感材フィルム３が原版１に密着した位置で、感材フィルム３を横断し原版１の長手方向全体をカバーするようにレーザー光６を感材フィルム３側から原版１に入射させ、その入射光と原版１からの反射回折光とを感材フィルム３中で順次干渉させて、感材フィルム３の移動方向に連続する長い大型の拡散反射型ホログラムを複製する。
【００１２】
半円筒型透明体２の裏面である平面上には、接着層７を介して吸収ガラス８が貼り付けられており、原版１を透過したレーザー光６がこの平面で内部反射をしてその反射光と入射光との間で干渉して不要干渉縞が記録されるのを防止している。なお、この代わりに原版１の裏面に吸収層を設けるようにしてもよい。
【００１３】
なお、半円筒型透明体２の円筒面に原版１を張り付けるには、図２（ａ）に示したように、裏面に吸収ガラス８を貼り付けた半円筒型透明体２を用意し、また、図２（ｂ）に示したように、中央を横切るストライプ領域に原版１が記録され、透明体２の長さ以下の幅を持つ矩形の記録フィルム１′を用意し、その後、図２（ｃ）に示したように、この記録フィルム１′を半円筒型透明体２の円筒面に張り付けるようにすればよい。
【００１４】
ところで、拡散反射型ホログラムの原版１を作製するにはいくつかの方法があるが、図３に１ステップ撮影法、図４に２ステップ撮影法を示す。図３の１ステップ撮影法は、スリガラスのような散乱板１０に対して予め拡散反射域と定めた位置に、フォトポリマーのような反射型ホログラム乾板（リップマンホログラム乾板）１１を配置し、散乱板１０の背面から同一光源から２分された所定波長のコヒーレント光１２で照明して散乱板１０の前面に出た散乱光１４を物体光として反射型ホログラム乾板１１に入射させると同時に、同一光源から２分された所定波長の別のコヒーレント光１３を参照光として、散乱光１４と反対側から拡散反射型ホログラム１で想定される入射光と反対方向に進む参照光１３を入射させることにより、反射型ホログラム乾板１１に拡散反射型ホログラムの原版１を記録する。
【００１５】
また、図４の２ステップ撮影法は、図（ａ）に示すように、スリガラスのような散乱板１０に対して予め拡散反射域と定めた位置に、透過型ホログラム乾板１５を配置し、散乱板１０の背面から同一光源から２分された所定波長のコヒーレント光１２で照明して散乱板１０の前面に出た散乱光１４を物体光として透過型ホログラム乾板１５に入射させると同時に、同一光源から２分された所定波長の別のコヒーレント光１６を参照光として、散乱光１４と同じ面側から任意の角度で入射させることにより、透過型ホログラム乾板１５に第１のホログラムである透過型ホログラムを記録する。
【００１６】
次に、この第１のホログラムを１７とし、図４（ｂ）に示すように、元の透過型ホログラム乾板１５の位置に配置すると共に、散乱板１０の位置に今度は反射型ホログラム乾板２０を配置し、ホログラム１７の実像をこの反射型ホログラム乾板２０の位置（図（ａ）の散乱板１０の位置）に結像させるように、ホログラム１７にその記録の際の参照光１６と反対側に進む同じ波長の再生照明光１８を照射して、ホログラム１７からの回折光１９を物体光として反射型ホログラム乾板２０に入射させると共に、拡散反射型ホログラム１で想定される入射光と反対方向に進む参照光２１を反射型ホログラム乾板２０の反対側から入射させることにより、反射型ホログラム乾板２０に第２のホログラムである拡散反射型ホログラムの原版を記録する。この方法により、観察域を第１のホログラム１７の範囲に限定する拡散反射型ホログラム原版１が作製できる。
なお、以上のようにして作製された原版の代わりに、これから密着複製されたホログラムも原版１として使用できる。
【００１７】
次に、本発明の複製方法の１つの具体例を説明する。吸収ガラス８としてショット社製ＮＧ４を用い、半円筒型のガラスブロック２に接着層７として共立化学（株）製Ｕ−４７１を用いて貼り付けた。そして、ホログラム原版１をキシレンからなるインデックスマッチング液を介してガラスブロック２に固定した。ホログラム原版１としては、記録面の法線から上方に入射角２０°で入射した光をその法線に対して上方２０°、下方２０°、左右各３０°の範囲内に拡散反射させる光学特性を有していた。同じキシレンからなるインデックスマッチング液を潤滑剤として、ロール状の感材フィルム３を半円筒型のガラスブロック２に貼り付けられた原版１の表面上を滑らせながら、レーザー光をシレンドリカルレンズでガラスブロック２の母線方向にのみに発散するようにした光６をロール状感材フィルム３を通して原版ホログラム１に照射し、この光と原版１からの回折光との干渉により感材フィルム１に拡散反射型ホログラムが連続的に記録された。
【００１８】
以上、本発明の拡散反射型ホログラムの複製方法を実施例に基づいて説明してきたが、本発明はこれら実施例に限定されず種々の変形が可能である。
【００１９】
【発明の効果】
以上の説明から明らかなように、本発明の拡散反射型ホログラムの複製方法によると、固定された拡散反射型ホログラム原版上に感材フィルムを密着させながら滑動させ、前記感材フィルム側からフィルム幅方向に広がった断面線状の光束を照射して、前記の入射光束と前記拡散反射型ホログラム原版により反射回折された光束との干渉により前記感材フィルム中に拡散反射型ホログラムを連続的に記録するので、大きな原版を用いなくとも、連続的で大型のフィルム形状の継ぎ目あるいは継ぎ目の記録がなく、反射効率が高く、高品質で、液晶表示装置用バックライト、プロジェクタースクリーン、コンバイナー等に適した拡散反射型ホログラムを簡単に作製することができる。
【図面の簡単な説明】
【図１】本発明に基づく拡散反射型ホログラムの複製方法を実施するための配置を示す図である。
【図２】図１の配置において用いる原版支持体の組み立て方法を示す図である。
【図３】拡散反射型ホログラム原版を１ステップ撮影法で作製する方法を説明するための図である。
【図４】拡散反射型ホログラム原版を２ステップ撮影法で作製する方法を説明するための図である。
【図５】拡散反射型ホログラムを複製法で作製する従来の配置を示す図である。
【符号の説明】
１…拡散反射型ホログラム原版
１′…記録フィルム
２…半円筒型透明体
３…感材フィルム
４…滴下装置
５…インデックスマッチング液
６…レーザー光
７…接着層
８…吸収ガラス
１０…散乱板
１１…反射型ホログラム乾板
１２…照明光
１３…参照光
１４…散乱光（物体光）
１５…透過型ホログラム乾板
１６…参照光
１７…透過型ホログラム
１８…再生照明光
１９…回折光（物体光）
２０…反射型ホログラム乾板
２１…参照光
【図１】
0003672123.tif 000002
【図２】
0003672123.tif 000003
【図３】
0003672123.tif 000004
【図４】
0003672123.tif 000005
【図５】
0003672123.tif 000006